(57)【要約】【課題】  監視員通路から操作できるようにしつつ、監視員通路を使って避難している人の避難に支障を来すことのない消火栓装置を得ることを目的とする。【解決手段】  本発明は、トンネル内の車道８５の路肩に構築された監視員通路８３に設けられた設置用空間８７内に設置される箱形の筐体７からなる消火栓装置１であって、筐体７は、監視員通路の路面として供用できる天板部９を有し、天板部９は、当該消火栓装置１を操作するための開口部３３、３７と、該開口部３３、３７を開閉可能に覆う扉体３５、３９とを備え、天板部９の外周部であって、開口部３３、３７の奥行きに対向する位置に落下防止手段４１を備えることを特徴とするものである。【選択図】  図１
2019076293.tif 000002
【特許請求の範囲】
【請求項１】
トンネル内の車道の路肩に構築された監視員通路に設けられた設置用空間内に設置される箱形の筐体からなる消火栓装置であって、
前記筐体は、監視員通路の路面として供用できる天板部を有し、
前記天板部は、当該消火栓装置を操作するための開口部と、該開口部を開閉可能に覆う扉体とを備え、
前記天板部の外周部であって、前記開口部の奥行きに対向する位置に落下防止手段を取り付ける落下防止手段取付部を有することを特徴とする消火栓装置。
【請求項２】
前記落下防止手段取付部には落下防止手段が設けられ、
前記落下防止手段は、前記開口部の奥行き方向奥側に対向する位置に設けられることを特徴とする請求項１記載の消火栓装置。
【請求項３】
前記落下防止手段取付部には落下防止手段が設けられ、
前記扉体は、前記開口部に軸支されて回動して開放され、前記天板部に対して所定の角度をもって起立するものであって、
前記落下防止手段は、前記扉体の起立位置に対向する位置に設けられることを特徴とする請求項１記載の消火栓装置。
【請求項４】
前記落下防止手段は、前記天板部から垂直方向に延びる第１の棒状体であり、
該第１の棒状体の先端には水平方向に延びる第２の棒状体が設けられることを特徴とする請求項１乃至３のいずれかに記載の消火栓装置。
【請求項５】
トンネル内の車道の路肩に構築された監視員通路を備え、該監視員通路は、路面から前壁に至る部分に設置用空間が設けられ、前記設置用空間を除く前記監視員通路の路面上には手摺りが設けられるトンネル消火栓システムであって、
前記設置用空間は、請求項１乃至４のいずれかに記載の消火栓装置が設けられることを特徴とするトンネル消火栓システム。
【請求項６】
トンネル内の車道の路肩に構築された監視員通路を備え、該監視員通路は、路面から前壁に至る部分に設置用空間が設けられ、前記監視員通路の路面上には手摺りが設けられるトンネル消火栓システムであって、
前記監視員通路には、前記設置用空間上に位置する落下防止手段が設けられることを特徴とするトンネル消火栓システム。
【請求項７】
トンネル内の車道の路肩に構築された監視員通路に設けられた設置用空間内に設置される箱形の筐体からなる消火器箱であって、
前記筐体は、監視員通路の路面として供用できる天板部を有し、
前記天板部は、当該消火器箱を操作するための開口部と、該開口部を開閉可能に覆う扉体とを備え、
前記天板部の外周部であって、前記開口部の奥行きに対向する位置に落下防止手段を取り付ける落下防止手段取付部を有することを特徴とする消火器箱。
【発明の詳細な説明】
【技術分野】
【０００１】
本発明は、トンネルに設置される消火栓装置、消火器箱およびトンネル消火栓システムに関するものである。
【背景技術】
【０００２】
トンネル等に設置される消火栓装置は、例えば特許文献１に開示されたように、消火栓本体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
【０００４】
そのため、消火栓装置の本体の設置場所として、トンネル壁面ではなく、監視員通路内に埋め込み、かつ車道側からだけでなく、監視員通路の路面上からでも操作可能な消火栓装置がユーザーから要望されている。このようなユーザーの要望に基づいたものとして特許文献２に開示されたトンネル内消火栓設備がある。
【先行技術文献】
【特許文献】
【０００５】
【特許文献１】特開２０１５−０４４０３９号公報
【特許文献２】特開２０１７−１２７４１９号公報
【発明の概要】
【発明が解決しようとする課題】
【０００６】
しかしながら、消火栓装置の天板部に設けられた操作扉を開放してホースの取り出し等の操作を可能にすると、火災時に監視員通路上を歩いて避難している人が天板部上を歩行する際に天板部の開放されたところから消火栓装置内部に落ちる（足を踏み入れる）ことが考えられる。また、消火栓装置の天板部の操作扉が開放状態で起立していると、天板部を歩いている人が操作扉にぶつかったり、躓いたりすることが考えられる。
なお、トンネル内に設置される消火用の機器を収納するものとして消火器を収納する消火器箱があるが、消火器箱についても上述の消火栓装置と同様の課題が存在する。
【０００７】
本発明はかかる課題を解決するためになされたものであり、監視員通路から操作できるようにしつつ、監視員通路を使って避難している人の避難に支障を来すことのない消火栓装置、消火器箱およびそれらを用いるトンネル消火栓システムを得ることを目的とする。
【課題を解決するための手段】
【０００８】
本発明は、トンネル内の車道の路肩に構築された監視員通路に設けられた設置用空間内に設置される箱形の筐体からなる消火栓装置であって、筐体は、監視員通路の路面として供用できる天板部を有し、天板部は、当該消火栓装置を操作するための開口部と、該開口部を開閉可能に覆う扉体とを備え、天板部の外周部であって、開口部の奥行きに対向する位置に落下防止手段を取り付ける落下防止手段取付部を有することを特徴とするものである。
【０００９】
また、本発明は、トンネル内の車道の路肩に構築された監視員通路を備え、該監視員通路は、路面から前壁に至る部分に設置用空間が設けられ、監視員通路の路面上には手摺りが設けられるトンネル消火栓システムであって、監視員通路には、設置用空間上に位置する落下防止手段が設けられることを特徴とするものである。
【００１０】
また、本発明は、トンネル内の車道の路肩に構築された監視員通路に設けられた設置用空間内に設置される箱形の筐体からなる消火器箱であって、筐体は、監視員通路の路面として供用できる天板部を有し、天板部は、当該消火器箱を操作するための開口部と、該開口部を開閉可能に覆う扉体とを備え、天板部の外周部であって、開口部の奥行きに対向する位置に落下防止手段を取り付ける落下防止手段取付部を有することを特徴とするものである。
【発明の効果】
【００１１】
本発明は、天板部の外周部であって、開口部の奥行きに対向する位置に落下防止手段を備えたので、消火栓装置の操作中に監視員通路を歩行した人が開口部に足を入れてしまうことを防ぐことができ、監視員通路を使って避難している人の避難に支障を来すことのない。
【図面の簡単な説明】
【００１２】
【図１】本発明に係る実施の形態１の消火栓装置をトンネルに設置した状態を示す全体図である。
【図２】本発明に係る実施の形態１の消火栓装置の内部構造を説明する正面図である。
【図３】本発明に係る実施の形態１の消火栓装置の操作時の状態を説明する背面斜視図である。
【図４】本発明に係る実施の形態２の消火栓装置をトンネルに設置した状態（拡大）を示す正面斜視図である。
【図５】本発明に係る実施の形態２の消火栓装置の操作時の状態を説明する斜視図である。
【図６】本発明にかかる実施の形態１の消火栓を設置するトンネルの要部を示す斜視図である。
【発明を実施するための形態】
【００１３】
［実施の形態１］
本実施の形態に係る消火栓装置１は、トンネル内の車道の路肩に構築された監視員通路に設けられた設置用空間内に設置されるものであり、トンネルに消火栓装置１が設置されてトンネル消火栓システム１００が構成される。
【００１４】
まず、消火栓装置１が設置される監視員通路８３の設置用空間８７について図６に基づいて説明する。
図６は、トンネルの路肩の監視員通路８３の一部を示したものであり、図中、８１はトンネル壁面、８３は監視員通路、８５は車道である。
【００１５】
監視員通路８３の路面は、車道幅方向に車道８５側が低くなるような傾斜面となっている。この傾斜面の勾配は、排水勾配と呼ばれ、傾斜角度は2.0％程度である。なお、2.0％の傾斜とは、100cmで2.0cmの高低差が生ずるような傾斜をいう。また、監視員通路８３の路上の車道８５寄りに手摺り９３が設けられ、監視員通路８３の路上を歩行する人（例えば、火災時に避難するために歩行する人）の歩行を補助する。
【００１６】
設置用空間８７は、図６に示すように、監視員通路８３の前壁８９から監視員通路８３の幅方向に切り欠くように設けられ、監視員通路８３を車道幅方向に切断した断面では設置用空間８７を形成する壁がＬ字形状になっている。このような設置用空間８７が設けられることで、監視員通路８３の路面には開口部が形成される。そして、該開口部の開口縁部９１は、後述する消火栓装置１の天板部９の周縁部が載置される３辺の部分が一段低くなった段部になっている。
【００１７】
上記のような設置用空間８７に設置される本実施の形態の消火栓装置１を図１〜図３に基づいて説明する。
消火栓装置１は、ホース３を収納するホース収納部５を内蔵する箱形の筐体７を備え、筐体７は、天板部９と天板部９の下方の本体部１１とを有し、天板部９は本体部１１よりも外方に張出す張出し部１３を有している。
【００１８】
以下、消火栓装置１を構成する各部について詳細に説明する。
＜筐体＞
本実施の形態における筐体７は、上述のように本体部１１と天板部９を有し、全体形状は、図３に示すように、略直方体形状をしている。
【００１９】
《本体部》
本体部１１の内部構造は、図２に示すように、内巻きに巻き回されたホース３を収納するホース収納部５および消火器１５を収納する消火器収納部１７が設けられている。
ホース収納部５には、ホース３が縦方向に内巻きされて収納されている。また、ホース収納部５は、筐体７内における後方側に配置されている。なお、ホース収納部５に収納されるホース３は内巻きだけに限らず、例えば、リールにホースを巻き付けて収納するリール式でも良い。
【００２０】
また、ホース収納部５の前面側の近傍で、かつ上部側には、ホース３の先端に設けられた消火ノズル１９を所定の位置に保持するためのノズルホルダ２１が設けられている。
さらに、ホース収納部５の前面側の近傍で、かつ高さ方向で中程よりも上方側には、消火栓弁を操作するための操作レバー２３が設けられている。
【００２１】
操作レバー２３及びノズルホルダ２１を設ける位置は、後述する筐体７の前面扉２７及び上面扉３５の両方から操作者が操作等できる位置に設けられている。
また、ノズルホルダ２１による消火ノズル１９の保持方法についても、筐体７の前面側及び上面側のいずれからでも容易に取り外し可能な保持方法にしている。
【００２２】
本体部１１におけるホース収納部５の前面には図示しない前面開口部が設けられ、該前面開口部には下降式の前面扉２７が設けられている。
また、本体部１１における消火器収納部１７の前面には図示しない消火器箱前面開口部が設けられ、該消火器箱前面開口部には横開き式の消火器箱前面扉３１が設けられている。
【００２３】
前面扉２７を開扉することで、操作レバー２３の操作が可能で、かつノズルホルダ２１に保持されている消火ノズル１９を取り外してホース３を引き出すことが可能になっている。
また、消火器箱前面扉３１を開扉することで、内部に載置されている消火器１５を取り出すことが可能になっている。
【００２４】
前面扉２７、消火器箱前面扉３１については、その開放方式は特に限定されるものではなく、前面扉２７を引戸式や回動式、あるいは消火器箱前面扉３１を下降式や回動式にしてもよい。
【００２５】
《天板部》
天板部９は、本体部１１と一体的に連結されており、本体部１１から外方に張出す張出し部１３を有している。張出し部１３は、両側辺と後辺の３辺に設けられている。
張出し部１３は、監視員通路８３の開口縁部９１の段部に載置され、この状態で監視員通路８３の路面と天板部９が面一になる。なお、張出し部１３は３辺でなくても良く、少なくとも両側辺の２辺にあれば良い。その場合、監視員通路８３の開口縁部９１の段部も両側辺の２辺にあれば足りる。
【００２６】
なお、前述したように監視員通路８３に排水勾配が設けられている場合には、これに合わせて天板部９を本体部１１に対して傾斜させて設置するようにするのが好ましい。例えば、前面側から背面側に向かって登り傾斜となるような角度を設けるようにする。
【００２７】
天板部９におけるホース収納部５の上方に相当する部位には、上面開口部３３が形成され、上面開口部３３には開閉可能な上面扉３５が設けられている。
天板部９に上面開口部３３及び上面扉３５を設けたのは、消火栓装置１の天板部９側からホース３の引き出しや、操作レバー２３の操作を可能にするためである。つまり、消火活動は、監視員通路８３の路上からでも、車道からでも行うことができる。
【００２８】
上面扉３５は、前側の辺部に設けられた図示しない回動軸を中心として例えば、前面側に向けて回動するようになっている。そして、上面扉３５を開扉すると、図３に示すように、上面扉３５は後方から前方に向けて回動して、直立から、直立よりも前方側に傾斜する範囲内（例えば、回動角度が９０°から１３５°）で起立状態を維持する。なお、両扉には起立状態から自然に閉止しないようにロックして起立状態を保持する起立保持部材を設けるのが望ましい。起立保持部材としては、例えばストップ型の蝶番やステーを用いる。これにより起立角度を調整して起立状態を保持できる。
【００２９】
天板部９における消火器収納部１７の上方に相当する部位には、消火器箱上面開口部３７が形成され、消火器箱上面開口部３７には開閉可能な消火器箱上面扉３９が設けられている。
消火器箱上面開口部３９は消火器１５の上方に位置し、消火器１本分又は複数本分が通過可能な大きさを有している。消火器箱上面開口部３９は、上面開口部３３と比較して、奥行き（車道幅方向）は長く、車道走行方向の幅は短い矩形状となっている。
【００３０】
なお、上記の消火器収納部１７は、２本の消火器１５を立てた状態で奥行き方向に並べて収納するものであるが、消火器１５を幅方向（車道走行方向）に２本並べて収納できるものであってもよい。この場合、これに合わせて消火器箱上面開口部３９の位置、大きさ及び形状を設定すればよい。
消火器箱上面扉３９も上面扉３５と同様の構成になっている。
【００３１】
ここで、天板部９は、車道８５寄りかつ車道幅方向における両端に、垂直方向に延びる第１の棒状体４１（落下防止手段に相当）がそれぞれ設けられ、第１の棒状体４１の先端から水平方向に延びる第２の棒状体４３が設けられる。第１の棒状体４１および第２の棒状体４３により、天板部９上に手摺り４５が構成される。
【００３２】
より詳細には、第１の棒状体４１は、その基端部が、天板部９の外周側であって上面開口部３３の奥行き方向に対向するように、即ち、上面開口部３３の奥行き方向の縦辺３３ａに対向する位置に設けられる。より好ましくは、上面開口部３３の奥行き方向の縦辺３３ａの奥側（トンネルの壁面８１側）寄りに設けられると良い。
【００３３】
また、天板部９には、第１の棒状体４１が設けられる落下防止手段取付部（図示なし）が設けられている。第１の棒状体４１は落下防止手段取付部に取り付けられればその構成は何でも良く、例えば、嵌合、圧入、溶接等で取り付けられる。
【００３４】
なお、消火栓装置１が消火器収納部１７を備え、消火器箱上面開口部３７が上面開口部３３より奥行きが長い場合には、天板部９の外周側であって消火器箱上面開口部３７の奥行き方向の縦辺３７ａの奥側に合わせて第１の棒状体４１を設けても良い。
【００３５】
また、第１の棒状体４１は、天板部９における車道８５寄りかつ車道幅方向における両端に設けられると説明したが、少なくとも上面開口部３３の縦辺３３ａに対向する位置および消火器箱上面開口部３７の縦辺３７ａに対向する位置に設けられていれば良く、両端の第１の棒状体４１の間に、さらに第１の棒状体を設けても良い。また、第２の棒状体４３は、天板部９の車道８５寄りに天板部９の前面の辺と並行に設けられることが好ましい。
【００３６】
トンネル内で火災が発生すると煙が発生して足下の視認性が悪くなる場合が多く、その状況下で天板部９上を避難すると、上面開口部３３や消火器箱上面開口部３７が見えずに足を踏み入れてしまうことや、起立状態の上面扉３５に足をぶつけたり躓いたりする可能性がある。そこで、第１の棒状体４１および第２の棒状体４３を設けることで、上面扉３５や消火器箱上面扉３９が開扉されていても、天板部９上を歩行している人が第１の棒状体４１に進行を阻まれるので、上面開口部３３や消火器箱上面開口部３７に足を踏み入れてしまうことや上面扉３５に足をぶつけてしまうことがなくなる。また、第１の棒状体４１および第２の棒状体４３は、手摺り４５であるため、避難時の歩行を補助することができる。
【００３７】
なお、消火栓装置１が設置用空間８７に設置されたときに、消火栓装置１の手摺り４５と監視員通路８３上の手摺り９３とが奥行き方向で一致するようにすることで、監視員通路８３、消火栓装置１の天板部９上を歩行しやすいトンネル消火栓システム１００とすることができる。
【００３８】
上面扉３５における閉止状態で下面、すなわち開放状態では背面側の面には、図３に示すように、内部機器に関する表示として、例えば、操作レバー２３の上方の位置には「レバー」の文字が、また消火ノズル１９の上方の位置には「ノズル」の文字が記載されている。
また、消火器箱上面扉３９における閉止状態で下面、すなわち開放状態では背面側の面には、図３に示すように、内部機器に関する表示として、「消火器」の文字が記載されている。
【００３９】
このような表示がされることで、上面扉３５や消火器箱上面扉３９を開扉した際に、内部機器に関する情報を得ることができ、例えば上面扉３５から腕を内部に入れて内部機器を操作、あるいは取り出す動作を円滑に行うことができる。
なお、トンネル壁面８１に「消火栓装置」という文字や操作方法等の表示をしても良い。そうすることで、車道８５上からも監視員通路８３上からも該表示を確認することができる。
【００４０】
次に、上記のように構成された本実施の形態の消火栓装置１の設置方法及び設置状態について図１に基づいて説明する。
消火栓装置１は、監視員通路８３の開口縁部９１に天板部９の張出し部１３を載置して設置される。設置状態では、図８に示すように、天板部９が監視員通路８３の路面と面一になって、監視員通路８３の路面の一部として供用される。
また、トンネルの手摺り９３と消火栓装置１の手摺り４５とが奥行き方向で同じ位置に設けられ、手摺り９３と手摺り４５が一体的に設けられる。
【００４１】
上記のように設置された消火栓装置１においては、天板部９が監視員通路８３の路面の一部となり通行することができ、かつホース３の引き出し、操作レバー２３の操作、及び消火器１５の取り出しを前面側及び上面側からの両方から行うことができる。
【００４２】
また、天板部９上を歩行する際には、手摺り４５があるので歩行しやすく、火災時に消火栓装置１を操作している際には、上面開口部３３および消火器箱上面開口部３７に足を踏み入れることもなく、避難に支障を来すことがなくなる。
【００４３】
［実施の形態２］
図４および５を参照して、実施の形態２の消火栓装置２について説明する。なお、実施の形態２では、上述の実施の形態１の消火栓装置１との相違点について主に説明するものとし、実施の形態１に対応している構成については同じ符号をつけて説明を省略する。
【００４４】
＜筐体＞
筐体７の形状は、高さよりも奥行きの大きい扁平な直方体形状をしている。筐体７は、天板部６０と天板部６０の下方の本体部１１とを有し、天板部６０は本体部１１よりも外方に張出す張出し部１３を有している。張出し部１３は、本体部１１の両側部及び後辺部（奥側の辺部）から張り出している。
【００４５】
《本体部》
本体部はホース収納部５および消火器収納部１７を備えている。
ホース収納部５は、ホース３を内巻きにした状態で横向き（巻いた状態でホース３により形成される筒体を縦にした向き）にして収納されている。このため、ホース収納部５は、高さよりも奥行きの大きい扁平な矩形状になっている。
【００４６】
消火器収納部１７は、複数（本例では２本）の消火器１５を横に寝かせた状態で収納できるようになっている。本実施の形態では、図５に示すように、後述する消火器収納部１７の下方に２本の消火器１５を本体部１１の幅方向に向けて寝かせて収納している。
【００４７】
《天板部》
天板部６０は、奥行き方向に２分割され、手前側天板部６０ａがさらにホース収納部５側の上面扉６３と、消火器収納部１７側の消火器箱上面扉６７に分割されている。上面扉６３はホース収納部５が設けられる上面開口部６１に軸支され、消火器箱上面扉６７は消火器収納部１７が設けられる消火器箱上面開口部６５に軸支される。
【００４８】
そして、上面扉６３および消火器箱上面扉６７には、常時開放方向に付勢するガススプリングと、上面扉６３および消火器箱上面扉６７を起立状態で保持する起立保持手段とが設けられている。それにより、上面扉６３および消火器箱上面扉６７は開扉するために回動させると、図５に示すように略垂直の起立状態となる。
さらに、上面扉６３の内面（起立状態での前面）には、ホース３の先端に設けられた消火ノズル１９を保持するノズルホルダ２１が設けられている。
【００４９】
ここで、天板部６０は、車道幅方向における両端にある張出し部１３上に、垂直方向に延びる第１の棒状体７１（落下防止手段に相当）がそれぞれ設けられ、第１の棒状体７１の先端から水平方向に延びる第２の棒状体７３が設けられる。第１の棒状体７１および第２の棒状体７３により、天板部６０上に手摺り７５が構成される。
【００５０】
より詳細には、第１の棒状体７１は、その基端部が、天板部６０の外周側の張出し部１３上であって上面開口部６１および消火器箱上面開口部６５の奥行き方向に対向するように、即ち、上面開口部６１および消火器箱上面開口部６５の奥行き方向の縦辺６１ａ、６５ａに対向する位置に設けられる。より好ましくは、縦辺６１ａ、６５ａの奥側（トンネル壁面８１側）寄り、即ち、手前側天板部６０ａの奥側であって、上面扉６３および消火器箱上面扉６７の起立位置に対向する位置に設けられると良い。また、実施の形態１と同様に、天板部９の第１の棒状体７１が設けられる位置に、落下防止手段取付部が備えられている。
【００５１】
これにより、天板部６０上を歩行する際には、手摺り７５があるので歩行しやすく、火災時に消火栓装置２を操作している際には、上面開口部６１および消火器箱上面開口部６５に足を踏み入れることもなく、避難に支障を来すことがなくなる。
【００５２】
なお、本実施の形態２における手摺り７５は監視員通路８３上の手摺り９３と比べて、奥行き方向奥側に位置する。そこで、第２の棒状体７３は、両端から手前側に延びるコ字状に形成し、手摺り７５と手摺り９３とを接続しても良い。
【００５３】
また、実施の形態１、２において、消火器収納部１７とホース収納部５を有する例を示したが、本発明の消火栓装置１、２は消火器収納部１７とホース収納部５の両方を有することは必須ではなく、消火器収納部１７のないものを排除するものではない。
【００５４】
また、上記の実施の形態１、２は、筐体７内にホースを内蔵する消火栓装置１、２について説明したが、本発明の特徴部分は消火器を収納する消火器箱についても適用でき、この場合上記の実施の形態１、２で説明した消火器収納部１７が設けられた部分（図１、４における図中左側の部分）のみを消火栓装置１、２から切り離して消火器箱として構成すればよい。
【００５５】
また、実施の形態１、２では、落下防止手段取付部が天板部９上に設けられ、落下防止手段が天板部９に構築されるものとして説明したが、監視員通路８３上に落下防止手段取付部が設けられ、設置用空間８７上に位置するように落下防止手段（手摺り）が設けられても良い。つまり、その場合は、落下防止手段（手摺り）は消火栓装置１上を通るように設けられる。
【００５６】
以上、本発明の実施の形態１及び２によれば、本発明は、以下の構成を備えたものである。
（１）本発明は、トンネル内の車道の路肩に構築された監視員通路に設けられた設置用空間内に設置される箱形の筐体からなる消火栓装置であって、筐体は、監視員通路の路面として供用できる天板部を有し、天板部は、当該消火栓装置を操作するための開口部と、該開口部を開閉可能に覆う扉体とを備え、天板部の外周部であって、開口部の奥行きに対向する位置に落下防止手段を取り付ける落下防止手段取付部を有することを特徴とするものである。
（２）また、本発明は（１）において、落下防止手段取付部には落下防止手段が設けられ、落下防止手段は、開口部の奥行き方向奥側に対向する位置に設けられることを特徴とするものである。
（３）また、本発明は（１）において、落下防止手段取付部には落下防止手段が設けられ、扉体は、開口部に軸支されて回動して開放され、天板部に対して所定の角度をもって起立するものであって、落下防止手段は、扉体の起立位置に対向する位置に設けられることを特徴とするものである。
（４）また、本発明は（１）乃至（３）において、落下防止手段は、天板部から垂直方向に延びる第１の棒状体であり、該第１の棒状体の先端には水平方向に延びる第２の棒状体が設けられることを特徴とするものである。
（５）本発明は、トンネル内の車道の路肩に構築された監視員通路を備え、該監視員通路は、路面から前壁に至る部分に設置用空間が設けられ、設置用空間を除く監視員通路の路面上には手摺りが設けられるトンネル消火栓システムであって、設置用空間は、（１）〜（４）のいずれかに記載の消火栓装置が設けられることを特徴とするものである。
（６）本発明は、トンネル内の車道の路肩に構築された監視員通路を備え、該監視員通路は、路面から前壁に至る部分に設置用空間が設けられ、監視員通路の路面上には手摺りが設けられるトンネル消火栓システムであって、監視員通路には、設置用空間上に位置する落下防止手段が設けられることを特徴とするものである。
（７）本発明は、トンネル内の車道の路肩に構築された監視員通路に設けられた設置用空間内に設置される箱形の筐体からなる消火器箱であって、筐体は、監視員通路の路面として供用できる天板部を有し、天板部は、当該消火器箱を操作するための開口部と、該開口部を開閉可能に覆う扉体とを備え、天板部の外周部であって、開口部の奥行きに対向する位置に落下防止手段を取り付ける落下防止手段取付部を有することを特徴とするものである。
【符号の説明】
【００５７】
＜実施の形態１＞
１    消火栓装置
３    ホース
５    ホース収納部
７    筐体
９    天板部
１１    本体部
１３    張出し部
１５    消火器
１７    消火器収納部
１９    消火ノズル
２１    ノズルホルダ
２３    操作レバー
２７    前面扉
３１    消火器箱前面扉
３３    上面開口部
３３ａ  縦辺
３５    上面扉
３７    消火器箱上面開口部
３７ａ  縦辺
３９    消火器箱上面扉
４１    第１の棒状体（実施の形態１）
４３    第２の棒状体（実施の形態１）
４５    手摺り（実施の形態１）
＜実施の形態２＞
６０    天板部
６０ａ  手前側天板部
６１    上面開口部
６１ａ  縦辺
６３    上面扉
６５    消火器箱上面開口部
６５ａ  縦辺
６７    消火器箱上面扉
７１    第１の棒状体（実施の形態２）
７３    第２の棒状体（実施の形態２）
７５    手摺り（実施の形態２）
＜トンネル＞
８１    トンネル壁面
８３    監視員通路
８５    車道
８７    設置用空間
８９    前壁
９１    開口縁部
９３    手摺り
１００    トンネル消火栓システム
【図１】
2019076293.tif 000003
【図２】
2019076293.tif 000004
【図３】
2019076293.tif 000005
【図４】
2019076293.tif 000006
【図５】
2019076293.tif 000007
【図６】
2019076293.tif 000008